(57)【要約】      （修正有）【課題】屋外でスケッチを行う際、画板、イーゼル等を一緒に運搬し、現場でこれらの組立を容易にすることができるスケッチ用イーゼル画板セットを提供する。【解決手段】裏面に鉄板２を設けた画板１と、上部に磁石を設け下部に雲台シューを設けた画板支持台と、頭部に前記雲台シューに接合できるカメラ台を設けた三脚１２と、前記画板、前記画板支持台及び前記三脚を収納するバックとから構成する。第２の手段は、上記画板支持台として、スイッチ付のマグネットホルダー台を雲台シューに直接接合するものである。第３の手段は、収納バックには、画用紙を収納する部分を設けることである。【選択図】図１
0003139462.tif 000002
【実用新案登録請求の範囲】
【請求項１】
裏面に鉄板を設けた画板と、上部に磁石を設け下部に雲台シューを設けた画板支持台と、頭部に前記雲台シューに接合できるカメラ台を設けた三脚と、前記画板、前記画板支持台及び前記三脚を収納するバックとから構成されることを特徴とするスケッチ用イーゼル画板セット
【請求項２】
前記画板支持台は、スイッチ付マグネットホルダー台で構成されることを特徴とする請求項１のスケッチ用イーゼル画板セット
【請求項３】
前記収納バックは、画用紙を収納する部分が設けられていることを特徴とする請求項１のスケッチ用イーゼル画板セット
【考案の詳細な説明】
【技術分野】
【０００１】  屋外でスケッチを行う際、画板、イーゼル等を一緒に運搬し、現場でこれらの組立を容易にすることができるスケッチ用イーゼル画板セットを提供する。
【背景技術】
【０００２】  従来屋外でスケッチする際、イーゼルは軽量化のためをカメラ用三脚を利用する場合がある。画板とカメラ用三脚の組付け方法を記載した先行技術が、文献１に開示されている。また、カメラ用三脚の雲台に磁石を用いた先行技術が文献２に開示されている。
【文献１】
登録実用新案第３１１９８２４号  カメラの三脚に着脱できる画板
【文献２】
実開平６−２８６７              ワンタッチ装着式小型雲台装置
【考案の開示】
【考案が解決しようとする課題】
【０００３】  上記文献１に開示されている先行技術は、画板の裏面中央部にナットを設けたナット装着版を設け、カメラ用三脚の雲台のネジと接合する構成となっている。ネジ部分１個所で画板を支持するため、絵を描く際に画板が不安定になりやすい。また、雲台のネジは通常短く、接合しづらい問題がある。
文献２に開示されている先行技術は、雲台の駆動軸に接続される部材を、ワンタッチで装着するため、ブラケットに磁石を設けた装着部材で構成する内容となっている。
雲台に磁石を使用したことは記載してあるが、画板、雲台及び、三脚の接合方法等については開示されてない。
また、両方の先行技術には画板、イーゼル等を運搬する手段については記載されてない。
本考案は、このような従来の構成が有していた問題を解決し、スケッチ現場に到着した際に短時間で、容易にスケッチ準備を可能にするスケッチ用イーゼル画板セットを提供することである。
【課題を解決するための手段】
【０００４】  本考案は、上記目的を達成するために、裏面に鉄板を設けた画板と、上部に磁石を設け下部に雲台シューを設けた画板支持台と、頭部に前記雲台シューに接合できるカメラ台を設けた三脚と、前記画板、前記画板支持台及び前記三脚を収納するバックとから構成する。第２の手段は、上記画板支持台として、スイッチ付のマグネットホルダー台を雲台シューに直接接合するものである。第３の手段は、収納バックには、画用紙を収納する部分を設けることである。
【考案の効果】
【０００５】    この考案の効果として下記の５項目が挙げられる。
１．スケッチ現場に到着した際に、短時間で、容易にスケッチの準備ができる。
２．磁石を設けたため、画板の縦横の設定がワンタッチでできる。また、画板裏面の鉄板の位置により、色々な設定が可能である。
３．ネジ等による１点支持でなく、面で受けるためスケッチ時の画板の安定が得られる。
４．専用のバックを設けたため、画板、イーゼル（三脚）、画板支持台及び、画用紙が同時に運搬できる。
５．磁石として、スイッチ付マグネットホルダー台を使用した場合、画板の着脱がスイッチにより簡単にできる。
【考案を実施するための最良の形態】
【０００６】  以下、本考案の実施の形態について、図１〜図８の基づいて、実施例及び使用法について説明する。
【実施例】
【０００７】  図１は、本考案の組立状態を裏面から見たものである。画板１は、図２のように木製の長方形で、裏面のほぼ中央部分に、薄い長方形の鉄板２をネジで固定する。あるいは鉄と木材に対応する接着剤で固定してもよい。【０００８】  図３、図４及び、図５は、画板支持台４を示す。画板１の裏面に固定した鉄板２より外形の小さい長方形の画板支持台板５の表面両端部に切欠き部６を設け、この切欠き部６に板状の磁石３を図４のように、それぞれ接着する。磁石の表面と画板支持台板５の中央部分の表面は、図３のように同じ高さにする。画板支持台板５の材質は木材、プラスチック、金属のいずれでもよい。画板支持台板５の裏面中央部分には、雲台シュー８を接着し、固定する。固定方法はネジ止めでもよい。【０００９】  画板支持台板５の外形は、正方形でも、円形でもよく、この表面に接着する磁石３の形状も長方形でなくても、画板１の裏側の鉄板２と接合した際に安定が得られる数、位置であればよい。【００１０】  請求項２の考案は、図７のように、画板支持台４の磁石３の代わりに、スイッチ付きマグネットホルダー台１４を、直接雲台シュー８に、雲台シュー８のネジを使って固定するものである。雲台７のスイッチ１５のＯＮ，ＯＦＦ操作により磁力が発生する。【００１１】  図６は、頭部に雲台シュー８が収納される、カメラ台１０が設けられた三脚１２を示す。このカメラ台１０の凹部１１に、雲台シュー凸部９が収納されて、画板支持台４と三脚１２が接続される。【００１２】  この考案は、磁石３を使ったが、磁石３の代わりに商品名ベルクロ等の面状ファスナーを使用しても実施できる。その場合は、画板１裏面の鉄板２の代わりに面状ファスナーの一方側（凹側）を設け、画板支持台４の磁石３の部分に面状ファスナーの他方側（凸側）を設ければ目的は達成できる。【００１３】  図８は、画板１、画板支持台４、三脚１２及び、画用紙を収納し、運搬するバックである。外形は画板１より大きければよい。このバック１６の内側に、画用紙を収納するスペースを仕切りによって設ける。画用紙を収納する部分は、運搬中に画用紙が変形する恐れがある場合は、バック１６の外側に設けてもよい。【００１４】  この考案の使用方法について説明する。スケッチ現場に到着したら、バック１６から、画板１、画板支持台４及び、三脚１２を取り出す。三脚１２をセットし、頭部のカメラ台凹部１１に、画板支持台４の下部の雲台シュー凸部９を収納し固定する。【００１５】  画板支持台４の表面の磁石３の部分を水平に保ち、画板１の裏面の鉄板２部分を画板支持台４の磁石３の上にセットする。磁石３と鉄板２の安定を確認して、雲台７に設けられているハンドル１３を操作して、画板１をスケッチに最適の角度にセットして固定する。【００１６】  バック１６から画用紙を取り出し、画板１に固定してスケッチを開始する。【００１７】  スケッチ後は、雲台７のハンドル１３を操作して、画板１を水平に戻し、画板１を少し回転して、画板支持台４の磁石３との接合を外す。画板支持台４をカメラ台１０から外し、三脚１２を短縮して、バック１６に、画板１、画板支持台４及び、三脚１２を収納する。【００１８】  磁石３の代わりに、スイッチ付マグネットホルダー台１４を採用した場合は、画板１と画板支持台４の着脱はスイッチ１５のＯＮ，ＯＦＦ操作により容易にできる。この場合も安全のため画板１の着脱は、画板１を水平状態にして行う。【００１９】  また、磁石３の代わりに面状ファスナーを使用した場合も同様の操作で実行できる。
【図面の簡単な説明】
【００２０】
【図１】  本考案の組立状態の裏面視
【図２】  画板斜視図
【図３】  画板支持台正面図
【図４】  画板支持台平面図
【図５】  画板支持台側面図
【図６】  雲台側面視
【図７】  スイッチ付マグネットホルダー台使用時の画板支持台
【図８】  収納バック斜視図
【符号の説明】
【００２１】  １    画板
２    鉄板
３    磁石
４    画板支持台
５    画板支持台板
６    切欠き
７    雲台
８    雲台シュー
９    雲台シュー凸部
１０  カメラ台
１１  カメラ台凹部
１２  三脚
１３  ハンドル
１４  スイッチ付きマグネットホルダー台
１５  スイッチ
１６  バック
【図１】
0003139462.tif 000003
【図２】
0003139462.tif 000004
【図３】
0003139462.tif 000005
【図４】
0003139462.tif 000006
【図５】
0003139462.tif 000007
【図６】
0003139462.tif 000008
【図７】
0003139462.tif 000009
【図８】
0003139462.tif 000010